(57)【要約】【課題】  贈呈品の持ち運びの便の向上と、贈呈品贈呈に際しての違和感の低減を図る。【解決手段】  結婚式等での贈呈品贈り主が商品群に含まれる商品Ｓ１〜Ｓ５を選択すると、その選択された複数の商品の組み合わせに応じた収納容積の贈呈品収納パッケージ１０が選択され、これら商品は、贈呈品収納パッケージ１０のボックス部１２に梱包材Ｋと共に収納される。その一方、贈呈品収納パッケージ１０を手渡す式参列者と贈呈品収納パッケージ１０を別途送付する式参列者に区別し、その区分に応じた形態での贈呈品収納パッケージ１０の受け渡し（式場での手渡し・自宅配送）を可能とする。【選択図】  図１
2006113942.tif 000002
【特許請求の範囲】
【請求項１】
式参列者に商品を贈呈するシステムであって、
商品贈呈の対象となる前記式参列者を特定する参列者特定データを記憶する参列者特定データ記憶部と、
贈呈品として選択されるよう用意された商品群のうちから、該商品群に含まれる複数の商品が贈呈品として選択されると、該選択された複数の商品を、梱包材と共に贈呈品収納パッケージに収納するよう指示する収納指示部と、
前記贈呈品収納パッケージを手渡す前記式参列者と、前記贈呈品収納パッケージを別途送付する前記式参列者とを、所定の贈呈区別データに基づいて区別する贈呈区別部と、
前記贈呈品収納パッケージを収納して手提げ持ち運び可能な収納物に収納した状態で該収納物を前記区別した手渡しの式参列者に手渡す旨のデータを、該式参列者の前記参列者特定データと対応付けて作成する手渡しデータ作成部と、
前記贈呈品収納パッケージを外箱に収納して該外箱ごと前記区別した別途送付の式参列者に送付する旨のデータを、該式参列者の前記参列者特定データと対応付けて作成する送付データ作成部と
を備える贈呈システム。
【請求項２】
請求項１記載の贈呈システムであって、
前記商品群を贈呈品贈り主に複数提供し、該贈り主が一の商品群に含まれる商品と、該一の商品群と対応付けた他の商品群に含まれる商品を贈呈品として選択すると、前記収納指示部は、前記一の商品群に含まれる商品と前記他の商品群に含まれる商品とを、梱包材と共に贈呈品収納パッケージに収納するよう指示する
贈呈システム。
【請求項３】
請求項１または請求項２記載の贈呈システムであって、
前記贈呈品収納パッケージは、商品の収納容積が異なるものとして複数種類のものが予め用意され、
前記収納指示部は、前記選択された複数の商品の組み合わせに応じて定めた容積の前記贈呈品収納パッケージを選択して使用するよう指示する
贈呈システム。
【請求項４】
請求項１ないし請求項３いずれか記載の贈呈システムであって、
前記式参列者の住所を、前記参列者特定データと対応付けて記憶する住所記憶部を備え、
前記贈呈区別部は、前記住所記憶部の参列者住所のデータに基づいて、前記贈呈品収納パッケージを手渡す前記式参列者と、前記贈呈品収納パッケージを別途送付する前記式参列者とを区別する
贈呈システム。
【請求項５】
請求項４記載の贈呈システムであって、
前記贈呈品収納パッケージの手渡しを所望する前記式参列者については、前記参列者住所のデータに基づいた式参列者区別に優先して、前記手渡し所望の式参列者を、前記贈呈品収納パッケージを手渡す前記式参列者と区別する
贈呈システム。
【請求項６】
請求項１ないし請求項５いずれか記載の贈呈システムであって、
前記贈呈区別部により前記別途送付の式参列者と区分した該式参列者に手渡すものとして、前記贈呈品収納パッケージを別途送付する旨のメッセージを印刷した印刷媒体を作成する
贈呈システム。
【請求項７】
請求項１ないし請求項６いずれか記載の贈呈システムであって、
前記贈呈品収納パッケージに収納された複数の商品の外観を表示するカードを作成する
贈呈システム。
【発明の詳細な説明】
【技術分野】
【０００１】
本発明は、式参列者に商品を贈呈するシステムに関する。
【背景技術】
【０００２】
結婚式や法要等の際には、その式参列者に贈呈品を手渡すことが慣習化されている。こうした贈呈品は、紙袋等に個別に入れて参列者が持ち帰ることが一般的である。
【発明の開示】
【発明が解決しようとする課題】
【０００３】
しかしながら、手渡す贈呈品は複数の商品であることが多いので、紙袋に入れて持ち帰る場合には、個々の商品がそれぞれ梱包して単に袋に入れてあるに過ぎないことから、かさばったりして、持ち帰りの際の取り扱いが煩雑である。近年では、贈呈品を掲載した商品カタログを式参列者に手渡し、その式参列者が商品カタログから商品を選択するようにすることも行われている。こうすれば、持ち帰りの際の取り扱いは簡便となる。
【０００４】
ところで、贈呈品の贈呈に際しては、贈呈品を受け取る側は、贈り主が何らかの贈呈趣旨を込めた贈呈品を受け取ることができる、との潜在的な意識を持ち合わせている。よって、上記のような商品カタログの手渡しでは、贈呈品を受け取る側は、贈り主の贈呈趣旨を想起する機会を逸してしまうばかりか、贈り主からの贈呈品でありながら贈呈品の受け取り側で自ら商品選択をしなければならず、慣習としての違和感を覚えることもある。また、贈り主にしても、贈呈趣旨を込めつつ商品選択をできない点から、違和感を覚えることもある。
【０００５】
本発明は、上記従来の技術の問題を解決するものであり、贈呈品の持ち運びの便の向上と、贈呈品贈呈に際しての違和感の低減を図ることを目的とする。
【課題を解決するための手段】
【０００６】
かかる課題の少なくとも一部を解決するため、本発明の贈呈システムでは、参列者特定データ記憶部に、商品贈呈の対象となる式参列者を特定する参列者特定データを記憶させておき、その一方で、贈呈品贈り主が商品群に含まれる商品を選択すると、収納指示部は、その選択された複数の商品を梱包材と共に贈呈品収納パッケージに収納するよう指示する。この指示を受けることにより、その選択された複数の商品は、梱包材と共に贈呈品収納パッケージに収納される。つまり、複数の商品でありながら、収納以後は、贈呈品収納パッケージ単体を取り扱えば済むことになる。
【０００７】
贈呈品贈り主による複数商品の選択を、次のようにすることもできる。まず、贈り主には、商品を含む商品群を複数提供する。そして、贈り主は、複数の商品群のうちの一の商品群に含まれる商品と、この一の商品群と対応付けた他の商品群に含まれる商品を贈呈品として選択するようにする。こうすれば、贈り主の商品選択の組み合わせが増し、贈り主が選択した商品の組み合わせに込める贈呈趣旨の多様化を図ることができる。例えば、一の商品群からカップ＆ソーサーのティーカップセットを選択したとしても、この一の商品群と対応付けた他の商品群は複数の商品を含むことから、ティーカップセットとの組み合わせが多彩となり、これに伴い、贈呈趣旨も多様化できる。また、贈り主は、自らの贈呈趣旨を込めた商品選択ができるので、贈り主側が違和感を覚えることはない。
【０００８】
このように収納指示を出す場合、贈呈品収納パッケージを、商品の収納容積が異なるものとして複数種類予め用意しておき、選択された複数の商品の組み合わせに応じて定めた容積の贈呈品収納パッケージを選択して使用するようにすることができる。こうすれば、商品の収納に無理が無く、好ましい。また、このようにして贈呈品収納パッケージに収納された複数の商品の外観を表示するカードを作成しておき、そのカードを贈呈品収納パッケージに入れておけば、このカードにて収納商品を見ることができるので、わざわざ収納を解く必要もなく好ましい。
【０００９】
本発明の贈呈システムでは、贈呈区別部により、贈呈品収納パッケージを手渡す式参列者と、贈呈品収納パッケージを別途送付する式参列者とを、所定の贈呈区別データに基づいて区別するので、それぞれの式参列者について、贈呈品収納パッケージを手渡すか別途送付するかが判明する。この場合、住所記憶部に、式参列者の住所を参列者特定データと対応付けて記憶させておき、この参列者住所データに基づいて、贈呈品収納パッケージを手渡す式参列者と、贈呈品収納パッケージを別途送付する式参列者とを区別するようにできる。こうすれば、遠方等からの式参列者を、贈呈品収納パッケージを別途送付する式参列者であると容易に区別できる。
【００１０】
参列者住所データに基づいて式参列者を区別する際であっても、贈呈品収納パッケージの手渡しを所望する式参列者については、この手渡し所望の式参列者を、参列者住所のデータに基づいた式参列者区別に優先して、贈呈品収納パッケージの手渡す対象の式参列者と区別するようにすることもできる。
【００１１】
そして、こうして式参列者を区別した上で、本発明の贈呈システムでは、手渡しデータ作成部と送付データ作成部とで次のデータを作成する。手渡しデータ作成部は、贈呈品収納パッケージを収納して手提げ持ち運び可能な収納物に収納した状態で、その収納物を、手渡し式参列者として区別した式参列者に手渡す旨のデータ（便宜上、手渡しデータという）を作成する。送付データ作成部は、贈呈品収納パッケージを外箱に収納してその外箱ごと、別途送付の式参列者として区別した式参列者に送付する旨のデータ（便宜上、送付データという）を作成する。これらデータ作成には、式参列者の参列者特定データを対応付ける。
【００１２】
以上説明したように、本発明の贈呈システムでは、上記のように作成した手渡しデータと送付データとにより、贈呈品収納パッケージを収納して手提げ持ち運び可能な収納物に収納した状態で、その収納物を、手渡しできるようにすると共に、贈呈品収納パッケージを外箱に収納してその外箱ごと送付できるようにする。しかも、これらデータは、式参列者の参列者特定データに対応付けられていることから、贈呈品収納パッケージを手渡す式参列者には、贈呈品収納パッケージを収納して手提げ持ち運び可能な収納物に収納した状態で手渡しでき、贈呈品収納パッケージを別途送付する式参列者には、贈呈品収納パッケージを収納した外箱ごと送付できる。
【００１３】
この結果、手渡しを受けた式参列者にあっては、贈呈品の持ち運びの便が高まると共に、式参列後にその贈呈品を持ち帰ることができるので、違和感を感じることはない。その一方、贈呈品収納パッケージの別途送付を受ける式参列者にあっては、贈呈品収納パッケージそのものを持ち運ぶ必要がないことから、簡便である。この式参列者は、式参列後に贈呈品を受け取って持ち帰ることがないので、違和感を抱くとしても、贈呈品収納パッケージを別途送付する旨のメッセージを印刷した印刷媒体を作成して当該印刷媒体をこの式参列者に手渡せば、こうした違和感を和らげることができる。しかも、贈呈品収納パッケージに収納された複数の商品の外観を表示するカードを作成して、当該カードを手渡しするようにすれば、より違和感が軽減する。
【００１４】
また、式参列者は、贈呈品収納パッケージを開ければ、収納されている複数の商品を目にできるので、その複数の商品を組み合わせた贈り主の贈呈趣旨を理解できる。このため、ギフト商品としての価値も高まる。
【発明を実施するための最良の形態】
【００１５】
次に、本発明の構成・作用を一層明らかにするために、以下本発明の好適な実施例について説明する。図１は実施例の贈呈システムの概念を表す説明図、図２はこの贈呈システムの中枢をなすコンピュータを機能ブロック図で表した説明図である。
【００１６】
本実施例の贈呈システムＧＳは、贈り主からの依頼を受け、贈り主が選択した複数種類の商品を後述の贈呈品収納パッケージ１０に収納後に、贈呈品送り先に合わせて贈呈品を取り扱う。こうした目的を果たすため、贈呈システムＧＳは、システム中枢１００を、インターネットや公衆電話回線等のネットワークＮＷや、ＦＡＸ回線ＦＬ、印書の運送経路ＰＬ等を介して贈り主と結びつける。
【００１７】
システム中枢１００は、贈り主から贈呈に関与するデータの提供を受け、このデータに基づいて商品の特定、後述の贈呈品収納パッケージ１０の選定等の種々の処理を行い、商品センターＳＣ等に指示を出す。商品センターＳＣは、この指示に基づいて、贈呈品収納パッケージ１０への商品収納、送り先個々への贈呈品収納パッケージ１０の搬送、式場ＷＳへの贈呈品収納パッケージ１０の一括配送等を行うよう、構成されている。
【００１８】
図２に示すように、システム中枢１００は、コンピュータを用いて構成され、論理演算を実行するための図示しないＣＰＵ、ＲＯＭ、ＲＡＭの他、外部とのデータやりとりを行うＩ／Ｏ回路を備え、後述のプログラムとこれら機器とで、収納関与部１１０、贈呈区別部１２０、カード類作成部１３０、記憶部１４０、データ作成部１５０とデータ処理部１６０を構成する。収納関与部１１０は、贈り主が選んだ複数種類に商品を収納する後述の贈呈品収納パッケージ１０の選定に関与する。贈呈区別部１２０は、例えば、結婚披露宴への式参列者を、贈呈品収納パッケージ１０を手渡す式参列者（以下、説明の便宜上手渡し参列者、と呼ぶ）と贈呈品収納パッケージ１０を別途送付する式参列者（以下、説明の便宜上送付参列者、と呼ぶ）に区別する処理に関与する。カード類作成部１３０は、送付式参列者に贈呈品収納パッケージ１０を別途送付する旨のメッセージ等の印刷に関与する。記憶部１４０は、結婚披露宴への式参列者を特定する参列者特定データや式参列者の住所等のデータの記憶に関与する。データ作成部１５０とデータ処理部１６０は、本実施例の贈呈システムＧＳによる贈呈品収納パッケージ１０の贈呈に関連する種々のデータの処理や商品センターＳＣに送付する指示作成等に関与する。
【００１９】
システム中枢１００は、外部機器として、モニタ１０１とハードディスク等の外部メモリ１０２と、入出力機器としてのマウス１０３やキーボード１０４と、スキャナ１０５、プリンタ１０６、外部とのデータ送信のための入出力機器１０７を備える。そして、このシステム中枢１００は、上記した各機能ブロックにより、モニタ１０１に、処理の状況やデータ等を表示する。また、外部メモリ１０２との間のデータの読み書き、スキャナ１０５からのデータ入力、プリンタ１０６によるカード等の印刷を行う。
【００２０】
次に、贈呈システムＧＳによる贈呈品処理の内容について説明する。図３は贈呈システムＧＳでのシステム中枢１００が中心となって実行される贈呈システムの処理内容を示す工程図、図４は贈り主による贈呈品選定をバックアップする様子を説明する説明図、図５は贈り主からシステム中枢１００に送られる贈呈品選定の結果を説明するための説明図である。
【００２１】
図３に示すように、システム中枢１００は、まず、贈り主の選定した贈呈品としての複数商品のデータと、贈呈品の送り先である式参列者のデータの収得とこれの記憶を行う（ステップＳ１００）。こうしたデータの収得に先立ち、贈呈システムＧＳは、図４に示す商品一覧を、カタログの状態で、或いはネットワークＮＷを用いたインターネットのホームページ等にて、贈り主に提供する。
【００２２】
贈り主は、カタログ或いはホームページを見て、贈呈品を選ぶ。この際、メインとなる商品群に含まれる複数の商品から一つを選択する。例えば、図４に示す右最上段のカップ＆ソーサーのティーカップセットを選択する。次いで、贈り主は、このメイン商品群から選択した商品（カップ＆ソーサーのティーカップセット）と組み合わせる商品をサブとなる商品群に含まれる複数の商品から一つを選択する。例えば、メイン商品から選択したカップ＆ソーサーのティーカップセットと併用することで、くつろいでティーの時間を持って欲しいという贈呈趣旨を込めることができるよう、サブ商品群からクッキーやケーキ等の商品を選択する。つまり、メイン商品群とサブ商品群とを贈り主に提供して、それぞれの商品群に含まれる商品を組み合わせるようにできるので、贈り主が選択した商品の組み合わせに込める贈呈趣旨の多様化を図ることができる。このことは、贈り主は、贈呈品を送る際に多様な贈呈趣旨を込めることができることになる。
【００２３】
贈り主が選定した商品は、ホームページ上からオンラインで、或いはＦＡＸ・郵送等の手段を用いてシステム中枢１００に入力される。よって、システム中枢１００は、こうして送られた贈り主の選定商品についてのデータを、データ処理部１６０等で処理し、後述の贈呈品収納パッケージ１０に収納すべき商品としてデータ処理する。
【００２４】
こうした商品データの収得に続いて、或いは、当該データの収得と並行して、システム中枢１００は、式参列者の特定と贈呈品の贈呈方法を特定するに足りる式参列者データの収得とこれの記憶を行う（ステップＳ１１０）。これらデータは、贈り主からホームページ上からオンラインで、或いはＦＡＸ・郵送等の手段を用いてシステム中枢１００に入力される。例えば、図５に示すように、贈り主は、式参列者一人一人について、その個人を特定するに足りるデータ（名前データ）と、住所・電話番号、選択商品のデータ（品番・品名）、着荷希望日等を記入し、このシートを、ホームページ上からオンラインで、或いはＦＡＸ・郵送等の手段を用いてシステム中枢１００に出力する。システム中枢１００は、受け取ったシートのデータを、データそのままで、或いはスキャナ１０５で読み取ったデータとして取得し、これを記憶する。
【００２５】
図５の例では、贈呈品を宅配するか、持ち帰り（手渡し）するかの区別を贈り主側で決定した例を示すが、この区別は、式参列者の住所データと、式場のデータ（住所データ）との照合を経て、決定するようにすることもできる。例えば、式参列者の住所が式場所在地と異なる市町村で有れば、その式参列者には贈呈品を宅配するよう区分することもできる。図５の例のように贈り主側で贈呈品の宅配・持ち帰りが区分されていれば、式参列者の住所データに優先して、贈り主の区分が決定される。
【００２６】
こうしたデータの収得・記憶に続いて、システム中枢１００は、贈り主が選定した複数の商品の組み合わせからなる贈呈品を収納するに相応しい贈呈品収納パッケージ１０を選定する（ステップＳ１２０）。図６は予め用意された実施例の贈呈品収納パッケージの外観を示す説明図、図７は収納した商品を贈呈品収納パッケージと共に示す説明図、図８は商品収納の様子を模式的に示す説明図である。
【００２７】
図示するように、実施例の贈呈品収納パッケージ１０は、大中小の三つの大きさで予め用意されている。このうちのどの贈呈品収納パッケージ１０を用いるかは、上記のステップＳ１２０にて、贈り主が贈呈品として選択した複数の商品の組み合わせに応じて定められる。例えば、図７に示すように、贈り主が上記したメイン商品群に含まれる商品としてカップ＆ソーサー２組を選択し、これに組み合わせる商品としてサブ商品群からケーキ１箱を選択すると、その選択された商品Ｓ１〜Ｓ５の組み合わせに応じた大きさの贈呈品収納パッケージ１０が選択される。なお、図７は説明の便宜上、収納商品を梱包材Ｋから取り出した状態を示す。
【００２８】
そして、この贈呈品収納パッケージ１０は、贈呈品として選択された複数の商品を、梱包材Ｋと共に収納するボックス部１２と、このボックス部１２の一辺から連設された蓋体１４とを有する。蓋体１４は、折り返し自在とされ、ボックス部１２の商品収納部を覆う。こうして商品収納部を覆った蓋体１４は、粘着シール１５にてボックス部１２に固定される。
【００２９】
贈呈品収納パッケージ１０は、収納商品を覆う中敷紙１６を備え、この中敷紙１６は、ボックス部１２への商品収納に先立ってボックス部底からボックス部側壁に掛けて敷き設され、その上に商品が収納される。そして、中敷紙１６は、図８に示すように、収納済み商品をその左右から覆い隠す。
【００３０】
この他、贈呈品収納パッケージ１０は、図７に示すように、カード１８を有する。カード１８の作成については後述する。このカード１８は、ボックス部１２に収納された複数の商品の外観を表示し、収納済み商品を左右から覆い隠した中敷紙１６の上に配設される。この場合、カード１８における表示は、例えば、図７に示すような写真が印刷されたものとできる。この写真印刷に加え、カップ＆ソーサー２組とケーキ１箱とを選択する際に用いた例えば商品コード等をカード１８に印刷しておくこともできる。
【００３１】
蓋体１４は、ボックス部１２の側に当たる裏面に、贈り主のメッセージを表示するメッセージ表示部２０を備え、当該表示部には、メッセージが印刷されている。このメッセージとしては、例えば、結婚式の贈呈品で有れば、贈り主の式参列のお礼等とすることも、定型文とすることもできる。また、メッセージを記載したカードをメッセージ表示部２０に張り付けるようにすることもできる。
【００３２】
また、この贈呈品収納パッケージ１０を次のようにすることもできる。図９は蓋を開けた際の見栄えを高めるようにした贈呈品収納パッケージ１０を示す説明図である。図示するように、中敷紙１６にて収納済み商品をボックス部１２の左右から覆い隠し、その上で、この中敷紙１６の重ね合わせ箇所にリボン２４を配置し、リボンシール２５にて、これらを張り合わる。こうすれば、蓋体１４を開けたときの見栄えが良くなる。
【００３３】
上記したように商品を贈呈品収納パッケージ１０に収納するに当たっては、システム中枢１００は、ステップＳ１２０でのパッケージ選定に続き、贈り主の選択した商品をステップＳ１００での記憶結果から読み出し、ステップＳ１２０で選定した大きさの贈呈品収納パッケージ１０に収納するよう指示するデータを作成し、当該データを商品センターＳＣに指示する（ステップＳ１３０）。つまり、こうしたデータは、商品収納の仕様書的な役割を持つ。商品センターＳＣは、この指示データを受けて、商品ストッカーから選択商品を必要個数取りだし、そのそれぞれを、選択指示された贈呈品収納パッケージ１０に収納する。
【００３４】
こうした商品収納の指示に続いて、或いは、当該指示と並行して、システム中枢１００は、ステップＳ１１０で記憶した式参列者のデータを読み出し、式参列者ごとに贈呈品の宅配・手渡しの区別をしつつ、贈呈品の配送指示のデータを作成し、これを商品センターＳＣに指示する（ステップＳ１５０）。図１０は贈呈品の配送指示データに基づく贈呈品収納パッケージ１０の取り扱いの様子を説明する説明図である。
【００３５】
ステップＳ１４０で贈呈品の宅配・手渡しの区別、並びに贈呈品の配送指示が出されると、商品センターＳＣは、その指示に基づいて、贈呈品収納パッケージ１０を図１０に示す外箱３０に収納した状態とするか、紙袋３２に収納した状態とするかを区別し、その区別に応じて外箱３０への収納、紙袋３２への収納を行う（ステップＳ１５０）。つまり、式参列者ごとの贈呈品収納パッケージ１０の受け渡しのマッチングを行い、システム中枢１００からの指示により贈呈品収納パッケージ１０を式場にて手渡しする指示された式参列者には、贈呈品収納パッケージ１０を収納して手提げ持ち運び可能となるよう、紙袋３２に贈呈品収納パッケージ１０を収納し、贈呈品収納パッケージ１０を宅配するよう指示された式参列者には、宅配できるよう、贈呈品収納パッケージ１０を外箱３０に収納する。
【００３６】
次に、商品センターＳＣは、システム中枢１００から入手済みの式参列者ごとの贈呈品収納パッケージ１０の手渡し・宅配の区分のデータに基づいて、贈呈品収納パッケージ１０の実際の受け渡しを行う（ステップＳ１６０）。つまり、宅配と区別された式参列者には、その自宅に、贈呈品収納パッケージ１０を外箱３０ごと配送するよう、宅配ラベルの印刷・外箱への貼付等を行った後、宅配する。この際、図５で贈り主から指定された着荷希望日のデータの指示もシステム中枢１００から受けるので、その着荷希望日に到着するよう宅配される。
【００３７】
その一方、贈呈品収納パッケージ１０を手渡しすると区別された式参列者には、式場ＷＳ（図１参照）にてこれら式参列者に手渡しできるよう、必要個数の贈呈品収納パッケージ１０が紙袋３２に収納された状態で配送する。
【００３８】
この他、システム中枢１００は、次のようにしてカード作成を行う。図１１は作成したカードの一例を模式的に示す説明図である。システム中枢１００は、ステップＳ１００と１１０で収得したデータに基づいて、贈呈品収納パッケージ１０を宅配すると区別した式参列者（送付参列者）に手渡すよう、図１１に示す贈呈品収納パッケージ１０を別途宅配する旨のカードをプリンタ１０６を用いて作成する。例えば、送付参列者は、式参列に際して贈呈品収納パッケージ１０の手渡しを受けないので、図示するように「引き出物はご自宅にお届けいたします。」等のカードを作成し、当該カードを送付参列者の席に配置する。こうすれば、次の利点がある。
【００３９】
送付参列者は、贈呈品収納パッケージ１０を式参列後に持ち帰ることがないことから、或いは贈呈品収納パッケージ１０を手渡しを受ける式参列者（手渡し参列者）が贈呈品収納パッケージ１０を持っているのに自分はこの贈呈品収納パッケージ１０がないことから、違和感を抱く虞がある。しかしながら、こうした送付参列者には、図１１に示すようなカードにて、贈呈品収納パッケージ１０を別途送付する旨のメッセージを提示できるので、送付参列者のこうした違和感を和らげることができる。しかも、贈呈品収納パッケージ１０に収納された複数の商品の外観を表示するカード１８を、単独でこの送付参列者に手渡し等で配布すれば、より違和感が軽減する。
【００４０】
上記説明したように、本実施例の贈呈システムＧＳによれば、例えば結婚披露宴への式参列者に贈呈品を送るに際し、それぞれの式参列者を特定するデータや、式参列者の手渡し参列者と送付参列者の区別、この区別に基づく贈呈品収納パッケージ１０の受け渡し状態指示データの作成等を通して、手渡し参列者には、贈呈品収納パッケージ１０を収納した紙袋３２にて手提げ持ち運び可能な状態で手渡しできるようにすると共に、送付参列者には、贈呈品収納パッケージ１０を外箱３０に収納してその外箱３０ごと自宅に送付できるようにする。
【００４１】
この結果、贈呈品収納パッケージ１０の手渡しを受けた式参列者にあっては、贈呈品の持ち運びの便が高まると共に、式参列後にその贈呈品を持ち帰ることができるので、違和感を感じないようにできる。その一方、贈呈品収納パッケージ１０の送付を受ける式参列者にあっては、贈呈品収納パッケージ１０そのものを持ち運ぶ必要がないことから、簡便である。この場合、この式参列者（送付参列者）は、式参列後に贈呈品を受け取って持ち帰ることがないので、違和感を抱くとしても、既述したようにカードによる贈呈品送付の旨の告知により、こうした違和感を和らげることができる。
【００４２】
また、式参列者は、贈呈品収納パッケージ１０の蓋体１４を開きボックス部１２の最上部の梱包材Ｋを僅かに取り除くだけで、贈り主が選んだ複数の商品を目にできるので、これら商品を選択して組み合わせた贈り主の贈呈趣旨を即座に理解できる。このため、ギフト商品としての価値も高まる。この場合、カード１８にて収納商品を見ることができるので、より一層確実に贈り主の贈呈趣旨を理解できると共に、最上部の梱包材Ｋを取り除いて商品の収納を解く必要もない。加えて、蓋体１４裏面のメッセージ表示部２０における贈呈品贈り主のメッセージを読むことにより、その贈呈品の趣旨の理解が深まる。なお、ボックス部１２の最上部の梱包材Ｋは、収納商品がこれら梱包材Ｋがあっても透けて見えるように入れておくこともできる。また、カード１８の収納商品により、ボックス部１２の収納商品の過不足の有無を判別できる。
【００４３】
また、蓋体１４をボックス部１２に粘着シール１５にて固定するので、ボックス部１２の収納部を覆った蓋体１４が開かないようにできる。よって、贈呈品収納パッケージ１０の持ち運びの際の利便性が高まる。
【図面の簡単な説明】
【００４４】
【図１】実施例の贈呈システムの概念を表す説明図である。
【図２】この贈呈システムの中枢をなすコンピュータを機能ブロック図で表した説明図である。
【図３】贈呈システムＧＳでのシステム中枢１００が中心となって実行される贈呈システムの処理内容を示す工程図である。
【図４】贈り主による贈呈品選定をバックアップする様子を説明する説明図である。
【図５】贈り主からシステム中枢１００に送られる贈呈品選定の結果を説明するための説明図である。
【図６】予め用意された実施例の贈呈品収納パッケージ１０の外観を示す説明図である。
【図７】収納した商品を贈呈品収納パッケージ１０と共に示す説明図である。
【図８】商品収納の様子を模式的に示す説明図である。
【図９】蓋を開けた際の見栄えを高めるようにした贈呈品収納パッケージ１０を示す説明図である。
【図１０】贈呈品の配送指示データに基づく贈呈品収納パッケージ１０の取り扱いの様子を説明する説明図である。
【図１１】作成したカードの一例を模式的に示す説明図である。
【符号の説明】
【００４５】
１０...贈呈品収納パッケージ
１２...ボックス部
１４...蓋体
１５...粘着シール
１６...中敷紙
１８...カード
２０...メッセージ表示部
２４...リボン
２５...リボンシール
３０...外箱
３２...紙袋
１００...システム中枢
１０１...モニタ
１０２...外部メモリ
１０３...マウス
１０４...キーボード
１０５...スキャナ
１０６...プリンタ
１０７...入出力機器
１１０...収納関与部
１２０...贈呈区別部
１３０...カード類作成部
１４０...記憶部
１５０...データ作成部
１６０...データ処理部
ＧＳ...贈呈システム
Ｋ...梱包材
ＮＷ...ネットワーク
ＰＬ...運送経路
Ｓ１〜Ｓ５...商品
ＳＣ...商品センター
ＷＳ...式場
【図１】
2006113942.tif 000003
【図２】
2006113942.tif 000004
【図３】
2006113942.tif 000005
【図４】
2006113942.tif 000006
【図５】
2006113942.tif 000007
【図６】
2006113942.tif 000008
【図７】
2006113942.tif 000009
【図８】
2006113942.tif 000010
【図９】
2006113942.tif 000011
【図１０】
2006113942.tif 000012
【図１１】
2006113942.tif 000013